(57)【要約】【課題】遊技施設における飲料物等購入時の煩わしさを解消して売上げ増に貢献できる取り扱い容易なポータブル飲料物等販売装置を提供する。【解決手段】ポータブル販売装置１は、飲料物等との交換に必要な遊技媒体を収納してその重量から数量を算出する計量部１０と、計量部１０で算出された計量結果を表示する表示部２０と、飲料物等を保持する商品保持部３０と、飲料物等と交換して受け取った遊技媒体を回収する回収部４０とを備える。計量部１０は、遊技媒体を収納するホッパ１１と、遊技媒体の重量を測定する測定具１３とから構成される。前記販売装置１はさらに、注文された飲食物等と当該飲食物等の交換に必要な遊技媒体の数量との間の整合を確認し、整合が取れていれば遊技媒体を前記回収部４０に回収し、整合が取れていなければ注意シグナルを発する制御部５０を備えてもよい。【選択図】図１
2008029774.tif 000002
【特許請求の範囲】
【請求項１】
遊技施設内での飲料物等の販売に使用するポータブル販売装置であって、
飲料物等との交換に必要な遊技媒体を収納して当該遊技媒体の重量からその数量を算出する計量部と、
前記計量部で算出された前記遊技媒体の数量を表示する表示部と、
飲料物等を保持する商品保持部と、
飲料物等と交換して受け取った遊技媒体を回収する回収部と、から構成されることを特徴とするポータブル販売装置。
【請求項２】
前記ポータブル販売装置が制御部をさらに備え、前記制御部が、注文された飲食物等と当該飲食物等の交換に必要な遊技媒体の数量との間の整合を確認し、整合が取れている場合には受け取った遊技媒体を前記回収部に回収し、整合が取れていない場合には注意シグナルを発するよう制御することを特徴とする、請求項１に記載のポータブル販売装置。
【請求項３】
前記制御部が記憶装置またはプリンタ機構、もしくはこの双方を備え、当該記憶装置またはプリンタ機構が、遊技媒体を前記回収部に回収するごとに当該遊技媒体の回収数量、回収時間、回収された遊技媒体の累計量の内、少なくともいずれか１つを記憶またはプリントアウトすることを特徴とする、請求項２に記載のポータブル販売装置。
【請求項４】
前記計量部が、各飲料物等との交換に必要となる所定量の遊技媒体を収納するために必要かつ十分な高さを有する定量ホッパと、前記定量ホッパ内に収納された遊技媒体の重量を測定する測定器とから構成されていることを特徴とする、請求項１に記載のポータブル販売装置。
【請求項５】
前記定量ホッパの底板を形成する部分が移動または回転によって開放可能であり、前記底板の開放によって定量ホッパ内に収納された遊技媒体が前記回収部に落下して回収されることを特徴とする、請求項４に記載のポータブル販売装置。
【請求項６】
前記測定器がロードセルにより構成されていることを特徴とする、請求項４に記載のポータブル販売装置。
【請求項７】
前記商品保持部のみが単独で着脱可能であることを特徴とする、請求項１に記載のポータブル販売装置。
【請求項８】
前記ポータブル販売装置が搬送用ケースをさらに備え、当該搬送用ケース内にはめ込み、取り出しすることによって前記ポータブル販売装置が前記搬送用ケースから着脱可能であることを特徴とする、請求項１から請求項７に記載のポータブル販売装置。
【請求項９】
遊技施設内での飲料物等の販売に使用するポータブル販売装置であって、
飲料物等との交換に必要な遊技媒体の所定数量を測定して分離する計量部と、
飲料物等を保持する商品保持部と、
前記計量部で分離され、飲料物等と交換して受け取った遊技媒体を回収する回収部と、から構成されることを特徴とするポータブル販売装置。
【請求項１０】
前記回収部が上面をほぼ開放された箱状部材から形成され、前記計量部と商品保持部とが、前記箱状部材からなる回収部の上面に被せて取り付ける板状部材から形成されていることを特徴とする、請求項９に記載のポータブル販売装置。
【請求項１１】
前記計量部が、遊技媒体の数量を測定する単一の計量枡、または複数の異なる飲料物等に対応した複数の異なる所定数量の遊技媒体を測定して分離する複数の計量枡から構成されていることを特徴とする、請求項９に記載のポータブル販売装置。
【請求項１２】
前記計量枡が、分離された遊技媒体を前記回収部に落下させるよう当該計量枡の周囲の少なくとも一部に開閉式の落下穴を備えていることを特徴とする、請求項１１に記載のポータブル販売装置。
【請求項１３】
前記計量枡が、前記計量部から切り離して個別に取り扱いできる定量容器であって、複数の異なる所定数量の遊技媒体をそれぞれ収納可能に形成された複数の定量容器から形成され、前記計量部または前記回収部が、前記各定量容器で測定された遊技媒体を前記回収部へ流し込むための開口部を備えていることを特徴とする、請求項１１に記載のポータブル販売装置。
【請求項１４】
前記回収部が、前記ポータブル販売装置の他の構成要素である本体部から分離され、前記回収部と前記本体部の間が、遊技媒体を前記計量部から前記回収部へ落下させるチューブで結ばれていることを特徴とする、請求項１または請求項９に記載のポータブル販売装置。
【発明の詳細な説明】
【技術分野】
【０００１】
本発明は、パチンコ遊技場、パチスロ遊技場その他の遊技施設において、飲料物等の移動販売を行うために使用するポータブル飲料物等販売装置に関する。
【背景技術】
【０００２】
パチンコ遊技場などの遊技施設においては通常、遊技者のリフレッシュ用としてコーヒーなどの飲料物、あるいは菓子、タバコなどの嗜好品（以下、これらをまとめて「飲料物等」という。）を販売している。遊技者がこれらの飲料物等を購入するには、主として２つの方法が利用されている。１つは遊技者自身がカウンタまたは販売装置まで移動して飲料等を注文し、または購入するものであり、他の１つは遊技中の遊技者が手を挙げたり表示ボタンを押したりして購入の意思表示をし、駆けつけた給仕係に希望する品を注文して給仕係から追って注文品を受け取る方法である。
【０００３】
後者の給仕係を呼んで物品を購入する場合の代金支払いは、通常パチンコ玉、コイン、トークンなど（本明細書では、これらをまとめて「遊技媒体」ともいう。）を利用した交換により行われる。例えばパチンコ、パチスロの場合、給仕係はパチンコの玉数をカウントするための計量トレイを持参し、注文品に相当する数量のパチンコ玉を前記計量トレイに入れて数量をカウントし、必要数量を受け取る。通常はこの必要数量を受け取った後にベースカウンタまで引き返し、注文品を用意して改めて遊技者まで届けている。
【０００４】
しかしながら、これらの従来システムにはそれぞれ問題があった。まず、遊技者自身がカウンタまたは販売機まで移動して購入する場合、遊技者はその間に遊技を中断しなければならない。これは遊技者に対してはせっかくの遊技を一旦中止しなければならないという気分的な煩わしさを与え、遊技施設側には設備稼働率の低下を及ぼす。さらに、多数の遊技者がこのような行動を取った場合には遊技機間の狭い通路を混雑させる原因にもつながる。
【０００５】
給仕係がサービスする場合、計量トレイを持参して玉数を把握する必要があり、この取り扱いの難しさから行動の制約を与える。すなわち、通常は上述のように注文受けと注文品の受け渡しとのため、飲料物等を提供するベースカウンタと遊技者との間を２往復することになり、これが通路を混雑させる原因となっている。また、遊技に集中している遊技者を２度にわたって訪れる結果となり、集中力を途切れさせることにもなった。加えて、不安定な計量トレイを用いて玉数のカウントを行うことから、玉数の誤計算や場合によっては不正の発生にもつながり易かった。一般に計量トレイが枠つきの平坦な形状をしたものであるため、不安定な扱いとなり、受け取った玉が落下する虞も大きかった。
【０００６】
より大きな問題として、以上述べたような従来技術に介在する問題は、遊技施設業者側における副次的な売上げ増の機会ロスを生んでいることである。すなわち、遊技者はたとえ咽が渇いたとしても、購入の煩わしさ、遊技の中断などを嫌うあまり、飲料をあきらめる傾向を生じさせていた。また、遊技者自身も遊技に熱中している間は、実際には咽の渇きがあっても、それに気付いていない場合もあり得た。遊技施設業者側も、このような副次的な売上げ増の機会にこれまで気付いていなかったか、あるいはそれを実施するためのツールもなかったことから、飲料物等の販売促進には比較的消極的であった。
【０００７】
従来技術にあるこられ問題点を解消する１つの対応として、飲料物等の注文品を自動配給する装置が提案されている（たとえば、「特許文献１」参照。）。この装置は、遊技者が遊技機に備えられたボタンを押すと、自動払い出し機から払い出された注文品を、搬送ユニットが遊技機上方に設けられた搬送レールを移動して遊技者のもとまで自動的に搬送し、遊技者に取り出し可能なように提供するものである。しかしながらこの方法では、遊技機の配列（島）に沿って搬送レールを敷設し、また自動搬送ユニットを制御するなど、大掛かりな設備投資が必要となり、コスト的な面で制約となった。
【特許文献１】特開平０８−２７６０６７
【発明の開示】
【発明が解決しようとする課題】
【０００８】
以上より、本発明は遊技施設における飲料物等購入時の煩わしさを解消して売上げ増に貢献することができ、サービス提供を行う給仕係にとっても取り扱いが容易なポータブル飲料物等販売装置を提供することを目的としている。
【課題を解決するための手段】
【０００９】
本発明は、パチンコ玉などの遊技媒体の数量を容易かつ正確にカウント可能な計量部と、予め注文が予測される飲料物等とを同時に搬送することができるポータブル販売装置を提供することによって上述した課題を解消するもので、具体的には以下の内容を含んでいる。
【００１０】
すなわち、本発明にかかる１つの態様は、遊技施設内での飲料物等の販売に使用するポータブル販売装置であって、飲料物等との交換に必要な遊技媒体を収納して当該遊技媒体の重量からその数量を算出する計量部と、前記計量部で算出された前記遊技媒体の数量を表示する表示部と、飲料物等を保持する商品保持部と、飲料物等と交換して受け取った遊技媒体を回収する回収部と、から構成されるポータブル販売装置に関する。
【００１１】
前記ポータブル販売装置は制御部をさらに備えることができる。前記制御部は、注文された飲食物等と当該飲食物等の交換に必要な遊技媒体の数量との間の整合を確認し、整合が取れている場合には受け取った遊技媒体を前記回収部に回収し、整合が取れていない場合には注意シグナルを発するよう制御することができる。
【００１２】
前記制御部は、記憶装置またはプリンタ機構、もしくはこの双方を備えてもよい。当該記憶装置またはプリンタ機構は、遊技媒体を前記回収部に回収するごとに当該遊技媒体の回収数量、回収時間、回収された遊技媒体の累計量の内、少なくともいずれか１つを記憶またはプリントアウトすることができる。
【００１３】
前記計量部は、各飲料物等との交換に必要となる所定量の遊技媒体を収納するために必要かつ十分な高さを有する定量ホッパと、前記定量ホッパ内に収納された遊技媒体の重量を測定する測定器とから構成することができる。
【００１４】
前記定量ホッパの底板を形成する部分を移動または回転によって開放可能とし、前記底板の開放によって定量ホッパ内に収納された遊技媒体を前記回収部に落下させて回収することができる。前記測定器は、ロードセルにより構成することができる。
【００１５】
前記商品保持部のみが単独で着脱可能に構成してもよい。これによって、商品保持部のみを交換して商品の補充を迅速に行うことができ、あるいは商品保持部を取り付けない状態で定置式の販売装置として使用することができる。
【００１６】
前記ポータブル販売装置は、搬送用ケースをさらに備えてもよい。当該搬送用ケース内にはめ込み、取り出しすることによって、前記ポータブル販売装置は前記搬送用ケースから着脱可能となる。これによってポータブル販売装置の交換が容易となり、あるいは搬送用ケースのカラーリングを適宜変更するなどによってポータブル販売装置にファッション性を持たせることができる。
【００１７】
本発明にかかる他の態様は、遊技施設内での飲料物等の販売に使用するポータブル販売装置であって、飲料物等との交換に必要な遊技媒体の所定数量を測定して分離する計量部と、飲料物等を保持する商品保持部と、前記計量部で分離され、飲料物等と交換して受け取った遊技媒体を回収する回収部と、から構成されることを特徴とするポータブル販売装置に関する。
【００１８】
前記回収部は上面をほぼ開放された箱状部材から形成し、前記計量部と商品保持部とは、前記箱状部材からなる回収部の上面に被せて取り付ける板状部材から形成することができる。
【００１９】
前記計量部は、複数の異なる飲料物等に対応した複数の異なる所定数量の遊技媒体を分離する複数の計量枡から構成することができる。前記計量枡は、分離された遊技媒体を前記回収部に落下させるよう当該計量枡の周囲の少なくとも一部に開閉式の落下穴を備えていることが好ましい。
【００２０】
代替として、前記計量枡を前記計量部から切り離して個別に取り扱いできる定量容器であって、複数の異なる所定数量の遊技媒体をそれぞれ収納可能に形成された複数の定量容器で構成し、前記計量部に、前記各定量容器で測定された遊技媒体を前記回収部へ流し込むための開口部を設けるようにすることもできる。
【００２１】
上述したいずれのポータブル販売装置においても、前記回収部を前記ポータブル販売装置の他の構成要素である本体部から分離し、分離した前記回収部と前記本体部の間を、遊技媒体が前記計量部から前記回収部へ落下可能なチューブで結ぶことができる。
【発明の効果】
【００２２】
本発明の実施により、遊技者に対しては遊技をしばしば中断することなく飲料物等を楽しむ機会を与え、気楽に飲料物等の注文が可能になるという効果をもたらす。遊技施設業者に対しては売上げ増の機会を提供し、さらに遊技者が遊技に専念できる時間を増大させて稼働率の向上につなげることができる。加えて、遊技者にリフレッシュ感が提供されることから遊技者にリラックスした雰囲気でより長時間遊技を楽しむ機会を提供し、結果として客足をつなぎとめ、リピート来訪の意欲を増大させるなどの諸効果を生む。
【００２３】
さらに、本発明にかかる飲料物等販売装置の制御部の機能を充実させることにより、飲料物等販売量の逐一把握、販売傾向分析、給仕係ごとの販売達成度、誤計算や不正の排除など、遊技施設における総合的な管理体制の改善につなげることも可能である。
【発明を実施するための最良の形態】
【００２４】
以下、本発明の第１の実施の形態にかかる遊技施設で使用するためのポータブル飲料物等販売装置（以下、単に「販売装置」という。）につき、図面を参照して説明する。なお、説明容易化のため、以下では発注品をパチンコ玉で交換する場合の販売装置を対象として説明するが、他の遊技媒体であっても同様に適用が可能である。また、ここで説明する販売装置は、基本的に給仕係によって例えば紐を介して首に吊り掛けるなどにより遊技施設内を携行搬送されることが意図されたものである。ただし、後述するように、同じ販売装置は定置式として利用することも可能である。
【００２５】
図１は本実施の形態にかかる販売装置１の全体斜視図、図２は同じ販売装置１を上から見た平面図を示している。両図において、販売装置１は、外枠５の中に計量部１０と、表示部２０と、商品保持部３０と、回収部４０（図１に表示）と、制御部５０とから構成されている。図２には、これら各要素の境界を破線で示している。パチンコ遊技場などの遊技施設内で、遊技装置の列（島）の間に設けられる限られた幅の通路を移動して販売を行う点を考慮し、両図からも明らかなように、当該販売装置１はコンパクトなサイズの中で多くの機能を巧みに配置したレイアウト構成としている。
【００２６】
計量部１０は、受け取った玉を入れるホッパ１１（１１ａ〜１１ｃ）と、ホッパ１１内に収納されたパチンコ玉の合計重量を計測するロードセル１３（１３ａ〜１３ｃ）と、ホッパ１１の底を開閉するための駆動機構１４と、ホッパ１１の移動を規制する支持プレート１５とから構成されている。図示の例ではホッパ１１を３個搭載可能であり、ホッパ１１は、収納すべき玉数に応じて高さが調整された定量ホッパ１１ａ〜１１ｃであることが好ましい。今、仮にこれらの収納すべき玉数を小さい方から３０個、６０個、１００個の３種類とし、３０個はジュースと、６０個はコーヒーと、１００個はタバコとの交換が可能である仮定する。例えば定量ホッパ１１ａは、３０個のパチンコ玉を収納するのに必要かつ十分な高さに調整されている。
【００２７】
図３は、ホッパ１１と、これを計量するロードセル１３の関係を側面断面図で示している。ホッパ１１は中空円筒状に形成され、外周部にストッパとなるビードが設けられている。ホッパ１１は支持プレート１５に設けられた開口部に差し込まれ、ビード部で宙吊りに支持され、移動が拘束される。ビードの代わりに上方に向けて拡開する漏斗形状のホッパ１１が使用されてもよい。ロードセル１３は中空のアルミブロックで形成され、図の左側に計量板１２を固定している。ホッパ１１が支持プレート１５に載置されると、計量板１２とホッパ１１とによってパチンコ玉を受け入れる容器が形成される。ホッパ１１内にパチンコ玉が収納されると、矢印Ｗに示す荷重が付加され、これがロードセル１３に歪を発生させ、さらにこれが電気抵抗の変化となって検知され、センサケーブル１６から荷重情報が取り出される。
【００２８】
定量ホッパ１１ａを使用する場合、高さすれすれまでのパチンコ玉を入れれば、その数が約３０個となる。目視による目安計量では勿論１、２個の誤差は生じるが、概数として約３０個のパチンコ玉を収納する。定量ホッパ１１ａの下に位置するロードセル１３ａの計量板１２には、パチンコ玉全数の荷重がかかり、総重量が計測される。パチンコ玉１個の重量は５．５ｇと定められているため、これを用いてパチンコ玉の数量を確定することができる。測定された玉数が所定数量（この例の場合、３０個）よりも増減している場合には、後述する表示部の結果を見た上で給仕係が定量ホッパ１１ａ内の玉を増減し、所定数量に一致させる。このパチンコ玉の数量算出は、センサケーブル１６に接続された簡単な回路を設けることによって容易に達成できる。
【００２９】
なお、収納されたパチンコ玉がホッパ１１内壁に接触する際の摩擦によって荷重が支持プレート１５の側に一部洩れることが予想されるが、これは玉数算出の計測においては誤差範囲である。但し、この摩擦による洩れを極小にするため、ホッパ１１はできるだけストレートな内壁とすることが好ましい。特に上方に向けて拡開する漏斗形状のホッパ１１を使用するような場合はこの荷重洩れによる誤差の影響が大きくなることが考えられる。このような場合、ホッパ１１を宙吊りとせず、ホッパ１１ごと計量板１２で測定し、その後、予め入力してあるホッパ１１の重量を差し引くことでパチンコ玉のみの重量が計測可能である。
【００３０】
図１、２に戻って、駆動機構１４は、シリンダ、ソレノイドなどのアクチュエータ１４ａと、アクチュエータ１４ａによって駆動される駆動ロッド１４ｂとから構成されている。駆動ロッド１４ｂにはそれぞれのロードセル１３ａ〜１３ｂが結合され、矢印Ａで示す駆動ロッド１４ｂの移動によって各ロードセル１３ａ〜１３ｂも移動する。この内容に関しては後述する。
【００３１】
以上のように構成された本実施の形態の計量部１０は、所定容量の定量ホッパ１１と、重量を測定する測定器（ロードセル）１３とを併用することにより、短期間で正確なパチンコ玉数の計量を可能にする利点を有する。ホッパ１１が所定容量の定量ホッパである場合、目視により僅かな玉数の誤差範囲内でパチンコ玉を収納することが可能であり、後の数合わせは微小調整（例えば、１、２個）で済ませることができる。さらに測定器１３で重量測定することによって玉数の誤差量が明確に把握でき、誤りが生ずる余地が少ない。
【００３２】
図示の例では３個の定量ホッパ１１ａ〜１１ｃを示しているが、この数は任意であり、ホッパ１１を１個にし、単一のロードセル１３を利用して異なる玉数の測定をすることも可能である。この場合、単一のロードセル１３に対して異なる高さの定量ホッパ１１ａ〜１１ｃを用意しておき、注文品に対応してこれら定量ホッパ１１ａ〜１１ｃを使い分けることも可能である。ホッパ１１とロードセル１３との数を４個、さらにはそれ以上とすることも勿論可能である。なお、上記玉数は単なる例示であって任意の数とすることができ、それに応じてホッパ１１の高さも任意に設定することが可能である。また、ロードセル１３を利用して重量測定を行っているが、他の重量測定器を用いることであってもよい。
【００３３】
次に、表示部２０は、上述した計測部１０で計測された結果に基づいて定量ホッパ１１内に収納されたパチンコ玉数を表示する。視認容易化のため電光表示とすることが好ましいが、例えば液晶表示などであってもよい。表示部２０は、対向している遊技者と給仕係の双方向から視認できるよう、反対に向いた２つの表示部とすることが好ましい。表示部２０はさらに、リセットボタン２１を含んでいる。スケールの一般的な特性として、使用頻度、使用期間によって誤差が生じ得る。受け入れたパチンコ玉を全て回収部４０内に回収した後であっても表示部２０の表示が０とならない場合、給仕係はホッパ１１内に残余の玉がないことを確認した上でリセットボタン２１を押し、計測部１０のゼロ位置の較正をすることができる。
【００３４】
なお、表示部２０では、後述する制御部５０に設けられる商品の操作ボタン（例えば、ジュースボタン５１）が押されると、まず必要な玉数（同、３０個）が表示され、次いでパチンコ玉がホッパ１１内に入れられると当該必要な玉数に対する過不足玉数が表示され、最後にホッパ１１内に必要玉数が投入されたときに３０個の表示が点滅表示されるよう構成することもできる。
【００３５】
次に、商品保持部３０は、図示の例では飲料物保持部３１と、タバコ保持部３２とに分かれている。飲料物保持部３１は２つの円形開口で構成され、この中にジュース、コーヒーなどの飲料物カップが搭載可能である。この数は任意であり、スペースが許せば増加することもできる。オプションとして、販売装置１の外枠５の外部に図２の破線で示すような追加商品保持部３３を設けて搭載数を増加してもよい。必要に応じてタバコ保持部３２を飲料保持部３１に改めて利用することもでき、これらの組み合わせは任意である。また、飲料物カップの脇にミルク、砂糖、マドラーなどを収納する溝部３４などが設けられる。
【００３６】
タバコ保持部３２は、図示の例では６個のタバコを収納することが可能なスペースとしているが、必要に応じ、２段にして収納量を増加させることもできる。なお、名称は「タバコ保持部」としているが、タバコに限らず、キャラメル、菓子袋などを収納できるようにしてもよい。図示の商品保持部３０の商品収納パターンは単なる一例であって、遊技者のニーズ、注文傾向に合わせて任意の組み合わせとすることができる。
【００３７】
回収部４０は、図１に示されており、図２の平面図では図面の背後に位置している。回収部４０は一般に箱型に形成され、計量確認、商品の受け渡しが完了した後、ホッパ１１内に収納されたパチンコ玉を受け入れて回収する目的で設けられる。回収部４０は、各ホッパ１１に対向した位置に上方に向いた開口部（図示せず）を有し、当該開口部を介してパチンコ玉を回収する。回収部４０に一定量のパチンコ玉が回収された場合はかなりの重量となり得る。所定重量となった時点で給仕係は販売装置１をベースカウンタへ持ち込み、回収されたパチンコ玉を貯玉装置に返却する。この際、回収部４０からの取り出しを行う玉返却口４１は、所定の係員のみが開放可能となるよう施錠されていることが管理上望ましい。回収部４０を空にし、商品の補充をすることで当該販売装置１は再び使用可能な状態となる。所定量のパチンコ玉を回収した販売装置１をベースカウンタに返却した後に、予め準備された別の販売装置１に取り替えて使用することも勿論可能である。
【００３８】
次に、制御部５０は、販売装置１を利用した販売活動全体を制御、管理できるよう構成されている。図２の平面図において、表面には各種操作ボタン５１〜５５、日時表示５６、プリンタ５７が位置し、図面に垂直方向となるこれらの背後（表示部２０の背後であってもよい）には、制御に必要な回路基板と動力源とが配置されている。制御部５０は以下のような制御動作を行う。
【００３９】
まず、操作ボタンの内、ジュースボタン５１、コーヒーボタン５２、タバコボタン５３は、これら商品が販売された際に給仕係によって押し込まれる。制御部５０では、この押し込まれたボタンの商品と、ホッパ１１内に収納されているパチンコ玉数の計量結果とを対比させ、予め入力された商品と玉数に一致し、両者の間の整合がとれた場合にのみ販売許容のシグナルを示す。具体的に、本実施の形態では計量部１０の駆動機構１４に動作指令を発してアクチュエータ１４ａをストロークさせる。これによって駆動ロッド１４ｂが図２に示す矢印Ａの方向に移動し、駆動ロッド１４ｂに結合された各ロードセル１３も同時に移動する。図３において、ロードセル１３が図面に垂直方向に移動することによって拘束状態にあるホッパ１１の底から計量板１２が外れ、ホッパ１１内に入ったパチンコ玉を回収部４０内に自然落下させる。
【００４０】
本実施の形態では、ロードセル１３が水平面上で移動することによってホッパ１１の底を外すことにしているが、例えばロードセル１３が垂直方向の軸を中心に回転可能に軸支され、駆動ロッド１４ｂの移動によってロードセル１３をピボット状に回転して計量板１２をホッパ１１の底から回転移動で外すようにしてもよい。あるいは、ロードセル１３を固定式にし、別の形式の駆動機構を用いて計量板１２を落し穴状に下方に向けて旋回させてもよい。
【００４１】
図２に戻って、数量整合の代替動作としては、表示ランプ５８に緑色を点灯させて販売ＯＫのシグナルとし、駆動機構１４の操作は給仕係が手動により行うことでもよい。販売ＯＫのシグナルが確認された後、給仕係は注文された商品を遊技者に提供する。
【００４２】
逆に、ボタンを押し込まれた商品とホッパ１１内の玉数計量結果とが整合しない場合、制御部５０は表示ランプ５８に赤色を点滅させて給仕係に販売不可のシグナルを発する。これを見た給仕係は、正しい商品の操作ボタン５１〜５３を押し直すか、あるいはホッパ１１内の玉数を修正する。これによって両者の整合がとれれば、上述した手順で販売が可能となる。
【００４３】
注文品と玉数の整合がとれ、売買が成立すると、制御部５０は販売された商品、玉数、販売時刻を記憶装置に記憶する。加えて、既に販売されていたものがあれば、累計を演算して同じく記憶装置に記憶する。必要であれば、別途用意される入力装置（後述するテンキー６５など）を使用して給仕係の個人コードを入力しておき、上記販売結果と個人コードとをリンクさせて記憶することも可能である。さらに必要であれば、販売装置１に発信機（図示せず）を設け、販売実績を逐一ベースカウンタの方へ無線で情報提供することもできる。
【００４４】
図示の例ではさらに、プリンタ５７を備えており、プリンタボタン５４を押し込むことによって任意のタイミングで販売経緯を逐一プリントアウトすることが可能である。また、トータルボタン５５を押し込めば、これまでの累計のプリントアウトが可能である。このプリンタ５７は、循環する管理者が、給仕係ごとの販売状況を把握する際などに利用可能である。プリンタ用紙を補充するため、制御部５０の全体又は一部を開閉可能に構成することができる。
【００４５】
なお、玉数の計量は、複数のホッパ１１を使って同時に行うこともできる。例えば、定量ホッパ１１ａに３０個、定量ホッパ１１ｂに６０個のパチンコ玉を収納した場合、ジュースボタン５１とコーヒーボタン５２とが押されたときに表示ランプ５８がＯＫのシグナルを発信し、あるいは駆動機構１４が動作してホッパ１１内に収納されていたパチンコ玉を回収する。回路基板のロジックを組み換えることにより、例えば定量ホッパ１１ａの玉数が−１個、定量ホッパ１１ｂの玉数が＋１個であっても、合計が所定量（この場合３０個＋６０個の計９０個）に一致していればＯＫとすることも可能である。
【００４６】
また、図示の例では、各ロードセル１３ａ〜１３ｃが駆動ロッド１４ｂに結合されているので駆動ロッド１４ｂが動作した際には各ホッパ１１ａ〜１１ｂの底が同時に開放されて全てのパチンコ玉が同時に回収されるように構成されている。代替として、駆動機構１４を独立して各ロードセル１３ａ〜１３ｃごとに個別に設け、各ホッパ１１ａ〜１１ｃでの玉数が所定の玉数と一致していることが確認されれば個別に各ホッパ１１ａ〜１１ｃに収納されたパチンコ玉を回収するようにしてもよい。
【００４７】
図１、図２において、制御部５０の右側半分は多目的スペース５９として利用するよう構成されている。このスペースを利用してメモ用紙のバインダを取り付けたり、伝票類をクリップ留めしたりすることができる。特に遊技者の注文品が品切れである場合などに給仕係がメモするのに有効である。図２に示す例では、このスペースを利用してテンキー６５を配置している。テンキー６５は、例えば注文した遊技者の遊技台番号、給仕係の個人コード、景品識別コード、その他必要なデータを入力する際などに利用可能である。
【００４８】
制御部５０には切換えボタン６６が設けられている。本説明では飲料物等をパチンコ玉と引き換えにする販売装置１を例示しているが、当該販売装置１は同じ遊技施設で利用されるコインなどパチンコ玉以外の他の遊技媒体と引き換える際にも利用可能である。この際、遊技媒体１個当たりの重量、換金率がパチンコ玉とは異なってくるため、当該切換えボタン６６を操作することによって他の遊技媒体１個に対応したセッティングとなるよう構成されている。
【００４９】
以上に説明した各要素は、外枠５によって囲われ、販売装置１が形成されている。外枠５には貫通孔６が設けられ、この貫通孔６に搬送紐７（図１に表示）を通して固定し、給仕係によって首に吊り掛けられ、移動販売するために使用される。図１に示す搬送紐７は２箇所から延びているが、この２つは一本の紐としてつながったものである。
【００５０】
但し、本発明にかかる販売装置１は移動販売用の利用に限定されず、販売装置１をベースカウンタなどにおいて定置式販売装置として利用することもできる。この場合、商品の補充は容易となることから、商品保持部３０を取り除いて使用することができる。商品保持部３０のみをユニット式に着脱可能に構成することは、移動販売においても有用である。すなわち、搬送する商品が売り切れた際に、ベースカウンタで予め商品がフル補充された他の商品保持部３０と取り替えることが可能となる。
【００５１】
本実施の形態にかかる他の態様として、外枠５に搬送紐７などを取り付けて首掛け式とする代替として、搬送紐付きのケースを別途設け、当該ケースの中に販売装置１をすっぽり納めて利用することもできる。この場合、販売を一巡してベースカウンタに戻った給仕係は、これまで使用していた販売装置１全体をケースから取り外し、予め外部で段取りが完了している別の販売装置１を前記ケース内に入れ替えて使用することができる。この場合の利点は、販売装置１の取替えが容易となることのほか、各種色のケースを準備しておくことでケースの色を日替わりとしたり、あるいは給仕係のコスチュームなどに合わせて色を選択したりすることが可能となることなどである。さらには、遊技施設内で給仕係が接近したことを遊技者が見つけ易いよう、当該ケースの回りに電飾を施すなどの対応をすることもできる。
【００５２】
さらに他の態様として、制御部５０をオプションとし、これを取り外した廉価版の販売装置を提供することができる。この場合、販売装置１は、計量部１０と、表示部２０と、商品保持部３０と、回収部４０とから構成される。計量部１０で測定された結果を表示部２０に表示し、遊技者の確認が得られれば商品保持部３０に保持された商品を遊技者に提供する。ホッパ１１にあるパチンコ玉の回収は給仕係がアクチュエータ１４ａを操作し、もしくは手動によって駆動ロッド１４ｂを移動させ、パチンコ玉を落下させて行う。販売実績の記録は、給仕係がメモを取るなどにより対応する。
【００５３】
図４は、ホッパの変形形式を示している。図３に示すこれまで説明したホッパ１１は、底なしの円筒形状をしていた。図４に示すホッパ６１は、開閉式の底板６２を備えている。底板６２は、スプリングを内蔵した蝶番機構６３の作用で通常は閉じた状態にある。これによってホッパ６１はそれ自身で容器となり、例えばパチンコ玉を取り入れる際にホッパ６１を販売装置１から取り外し、パチンコ玉を掬い上げて行うことができる。高さすれすれまで掬い取ることによって目分量で玉数をカウントでき、その後は先の態様と同様にロードセル１３に乗せることによって最終的な玉数を計量する。蝶番機構６３には底板６２の側に固定されたフック６４が備わり、計量が完了した後、ロードセル１３が移動する際にこのフック６４がロードセル１３の移動に同調して回転し、ホッパ６１の底板６２が開放されて収納されていたパチンコ玉が落下するよう構成されている。
【００５４】
さらなる態様として、ホッパの底板を開放させることなくホッパを通常のカップ状の容器とし、パチンコ玉を落下させる際には計量後の同容器を給仕係がロードセル１３から手で取り上げ、計量部１０のいずれかの位置に設けられた回収部４０につながる開口部内にパチンコ玉を当該容器から流し込むようにしてもよい。これにより、ロードセル１３を移動させる駆動機構１４が不要になり、構造をより簡素化することができる。
【００５５】
なお、図面には示していないが、例えば図２の破線で示す各構成要素の境界に沿って溝を設け、販売装置１上に誤って落下したパチンコ玉をその溝内に落とし込んでいずれか１か所に導き、取り出し容易にすることができる。また、パチンコ玉の重量測定をする場合、首に吊り掛けられた販売装置全体が傾斜することによって極端な場合には測定重量誤差が生じうる。これを回避するため、販売装置に水準器を設け、給仕係が水平状態をいつでも確かめられるようにすることができる。
【００５６】
従来のパチンコ玉数を計量する計量トレイでは、通常１個のトレイに３００個のパチンコ玉を載せることができる。３００個の収容能力に対してその内の一部となる３０個なり１００個なりを計量することになるため、始めに受け入れる玉数は所定数量に対して大きな誤差が生じ易い。これによって、その後の所定数量へ調整するための玉の増減動作が比較的長くなり易い。
【００５７】
より都合の悪いことは、給仕係がトレイを片手に持ち、他方の手で玉の取り入れ、数量調整を行うため、トレイが不安定となり易く、これを水平に保つための給仕係の注意力が要求されることである。計量した結果の最終的な玉数の確認も、遊技者、給仕係双方にとってしづらく、これにより誤計量が生じ易くなる。特に遊技者は、通常僅かな数量誤差には関心がないことから、さらには計量時の不正が発生し易い環境にあると言える。また、そのような不正行為が生じたときにもこれを後に検証することはほぼ不可能である。
【００５８】
本発明にかかる販売装置１では、定量ホッパ１１を使用しているため、予め決められた所定量の概数を目分量によって容易に特定することができる。このため、最終的な玉数の調整量を僅かとすることができ、玉数の確定が容易である。さらに、最終的な数量が表示部２０に表示されるため、遊技者、給仕係双方による確認が極めて容易、確実であり、玉数の誤りが生じにくい。確認が容易であることは、不正が入り込む余地を排除することにもつながる。
【００５９】
さらには、一般にパチンコ遊技場などの遊技施設内では騒音が激しく、遊技者と給仕係との間で、玉数の確認などのコミュニケーションをとるのは困難が伴う場合が多い。本実施の形態にかかる表示部２０を利用することにより、デジタル表示での確認が可能となって、このようなコミュニケーションの必要性もなくなり、遊技者、給仕係双方の負担を軽減できるという大きなメリットも有する。但し、必要に応じて本発明の販売装置にコミュニケーションを改善する手段を設けることも可能である。例えば、遊技者に対向する販売装置の前面などに指向性の高いマイクとスピーカを取り付け、給仕係が顔に取り付けたイヤホン及びスピーカのセットから延びる配線を販売装置に差し込んで販売装置を介して両者間のコミュニケーションの円滑化を図ることができる。
【００６０】
次に、定量ホッパ１１が販売装置に搭載されているため安定しており、玉の落下が生じにくく、さらに玉数の調整を片手のみで行うことができる。また、本発明にかかる販売装置を使用することで、玉数の計量と、注文品の引渡しとを同時に行うことができるため、販売に当たって遊技者を再三煩わせることがなくなる。
【００６１】
そして、当該販売装置を使用して販売活動を行うことにより、遊技施設の売上げ増大につなげることができる。従来のように遊技機から離れて販売機まで移動することが不要となり、また、移動、あるいは注文と交換の煩わしさから、咽の渇きがあっても遊技継続の方を望んでいた遊技者にとっても購入意欲が高められることになる。さらには、咽の渇きがありながらもそれに気付かずに遊技に熱中していた遊技者が、給仕係の積極販売に応じて注文する機会が増えることも容易に想像できる。野球場などにおける移動販売と同様、本発明にかかる販売装置を利用した販売活動を行うことにより、遊技者の潜在購買意欲を喚起することにつながり、これらの要素を合わせることで遊技施設における売上げ増大に貢献することができる。
【００６２】
次に、本発明の第２の実施の形態にかかる遊技施設で利用されるポータブル式飲料物等販売装置について図面を参照して説明する。本実施の形態にかかる販売装置は、先の実施の形態の販売装置をより簡素化し、低コストで提供できるようにしたもので、その概要を図５（ａ）、（ｂ）に示している。
【００６３】
図５（ａ）において、本実施の形態にかかる販売装置７０は、外枠５の中に計量部１０と、商品保持部３０とを含み、これに着脱可能な回収部４０が取り付けられている。計量部１０には、パチンコ玉（あるいは他の遊技媒体であっても良い。以下、同。）の所定量を測定可能な計量枡７１が複数（図示の例では７１ａ〜７１ｃの３つ）設けられ、それぞれの枡の容量に差を設けている。例えば第１の計量枡７１ａでは２０個（４列×５行）、第２の計量枡７１ｂでは３０個（６列×５行）、第３の計量枡７１ｃでは６０個（５列×６行）のパチンコ玉が測定可能に形成されている。
【００６４】
図５（ｂ）は、図５（ａ）のＡ−Ａで切断した計量枡７１ａの断面図を示している。図において、計量枡７１ａは４列×５行のパチンコ玉が丁度収納される窪み部７２を備えており、当該窪み部７２が満たされることによって所定量（この例では２０個）のパチンコ玉が測定され、分離される。窪み部７２に隣接して、余剰のパチンコ玉がガイドされる段差部７３が設けられている。窪み部７２の底の少なくとも一部には落下穴７４が開口し、開口した部分は底板７５が設けられてパチンコ玉を保持している。パチンコ玉の玉数を計量する際には、概略量のパチンコ玉が計量枡７１内に入れられ、窪み部７２を満たした所定量が窪み部７２内に分離され、余剰のパチンコ玉が段差部７３に導かれる。これは販売装置７０を傾斜させるか、給仕係の手によって行われる。
【００６５】
次に、図５（ａ）に戻り、段差部７３は、各計量枡７１をつなぐ返却路７６を形成しており、該返却路７６は、返却枡７７につながっている。これにより、余剰となったパチンコ玉はすべて返却枡７７内に回収され、これをすくって遊技者に返却することで所定量のパチンコ玉が計量されたことになる。図示の３つの計量枡７１ａ〜７１ｃを備える例では、２０個、３０個、５０個（２０＋３０）、６０個、８０個（６０＋２０）、９０個（６０＋３０）、１１０個（６０＋３０＋２０）の各数量が計測可能である。この数量の組み合わせは任意であり、また計量枡７１の数も３つに限定されない。
【００６６】
返却枡７７に集められた余剰のパチンコ玉は給仕係の手で拾い上げられ、遊技者に返却されるが、例えば返却カップ７８を破線矢印で示すように返却枡７７に予め入れておき、余剰玉を集めた後に返却カップ７８を引き上げれば返却が容易となる。その他、返却枡７７自身を傾斜可能に構成することもできる。
【００６７】
計量された方のパチンコ玉は、回収部４０内に落下させ、収納される。図５（ｂ）で示すようにパチンコ玉は底板７５の上に保持されている。この底板７５は、図５（ａ）に示す回収レバー８１につなげられた操作バー８２につながっている。回収レバー８１はスプリングを内装した枠５から延びるヒンジに回動可能に取り付けられている。給仕係が回収レバー８１を押し込むことによって操作バー８２が底板７５を移動させ、これによってパチンコ玉は落下穴７４から回収部４０内に落下する。底板７５は、計量枡７１の底面すべてを開放する必要はなく、少なくともその一部をスリット状、あるいは穴状に開放すればよく、あとは計量装置７０全体を傾斜させることによって計量枡７１内にある全てのパチンコ玉を容易に回収することができる。
【００６８】
この回収方法は単なる一例であり、例えば開口する場所を底板ではなく計量枡７１の側壁のいずれか１つを開放することでもよく、また、回収レバー８１の代わりに押し込みボタン、あるいは底板を回転させる回転レバーなどとすることでもよい。回収部４０ならびに商品保持部３０の機能、および搬送紐７を首に掛けて使用する操作などは先の実施の形態で説明したものと同様である。
【００６９】
本実施の形態にかかる販売装置７０では、先の実施の形態と比較した場合、計量部１０におけるロードセル１３ほかの重量測定装置、表示部２０、制御部５０などが省略された結果、販売装置７０全体をはるかに安価、軽量とすることができ、簡単な操作でほぼ同等の販売機能を持たせることができる。これら他の装置を排除したことにより、図示のように飲料物保持部３１の数などを増加させることができるが、これは単なる一例である。
【００７０】
また、構造を簡単にしたため、回収部４０を除いて、計量部１０、商品保持部３０を含む販売装置７０の主要部分を例えば合成樹脂または板材からなる一枚ものの成型品とすることが可能となり、構造的にもはるかに簡略化される。底板７５を駆動させるわずかな構成品を組み付けるだけで装置全体を容易に完成させることができる。
【００７１】
なお、本実施の形態では、収納玉数の異なる計量枡７１を３つ設けるものとしているが、この部分を従来の計量トレイと同様に、例えば計３００個のパチンコ玉を収納可能な１つの計量枡７１とすることもできる。この場合、計量枡７１の内部に例えば数十個づつに色分けするなどにより、複数の商品に対応した複数の異なる所定量のカウントが容易になるようにしておくことが好ましい。また、この場合であっても、計量枡７１の底板、側壁の一部を開放可能にして計量後のパチンコ玉を落下させ、回収する構造とすることが好ましい。但し、給仕係が手で回収して計量部１０のいずれかの位置に設けられた開口に計量されたパチンコ玉を落とし込むようにしてもよい。
【００７２】
代替として、図示の例のような固定式の計量枡７１ではなく、計量部１０から切り離して個別に取り扱いできる上述の返却枡７８に類似する定量容器であって、複数の異なる所定数量のパチンコ玉をそれぞれ収納可能な複数の定量容器を計量部１０に備えてもよい。遊技者から飲料物等の注文があった場合、給仕係は、注文商品の必要数量に相当する定量容器を取り出し、これにパチンコ玉をすくって必要数量を定量する。その後は計量部１０または直接回収部４０に設けられた開口内に定量されたパチンコ玉を定量容器から流し込んでもよい。
【００７３】
図６は、本実施の形態にかかる他の態様を示している。図において、本態様では袋状または箱状の回収部８０が販売装置７０の本体から分離して設けられている。回収部８０にはフレキシブルチューブ８５の一端が結合され、フレキシブルチューブ８５の他端は本体側の計量枡７１（７１ａ〜７１ｃ）の裏側に設けられている図示しない漏斗状の玉受けに結ばれている。計量枡７１の底板７５（図５（ａ）参照）はレバー８４を押下げる操作によって旋回式に開放され、計量されたパチンコ玉は前記玉受けに落下して、フレキシブルチューブ８５を通って回収部８０内に回収される。開放後の底板７５は、レバー８４の押下げを解除することによって図示しないリターンスプリングにより基の位置に復帰する。
【００７４】
回収部８０を以上のように分離して設けるメリットは、保持ベルト８６などを使って回収部８０を販売装置７０の本体から分離して腰などに取り付け可能となり、重量物となり得る回収部８０の搬送を容易とし、かつ首から下げた販売装置７０の軽量化などによって給仕係の操作を楽にし、負荷を軽減させることが挙げられる。回収部８０が一定の重量に達した場合には、当該回収部８０をフレキシブルチューブ８５から取り外して交換し、直ちに販売活動を継続することが可能となる。なお、本態様のように回収部８０を分離する形態は、先の実施の形態に示す販売装置１に対しても同様に適用することができる。
【産業上の利用可能性】
【００７５】
本発明は、遊技施設などの産業分野において広く利用することができる。
【図面の簡単な説明】
【００７６】
【図１】本発明にかかる実施の形態のポータブル飲料物等販売装置を示す斜視図である。
【図２】図１に示すポータブル飲料物等販売装置の平面図である。
【図３】図１に示すポータブル飲料物等販売装置に使用されるロードセルとホッパとの関係を示す側面断面図である。
【図４】ホッパの代替の態様を示す斜視図である。
【図５】本発明にかかる他の実施の形態のポータブル飲料物等販売装置を示す斜視図である。
【図６】図５に示すポータブル飲料物等販売装置の他の態様を示す斜視図である。
【符号の説明】
【００７７】
１．販売装置、  ７．搬送紐、  １０．計量部、  １１．ホッパ（定量ホッパ）、  １２．計量板、  １３．ロードセル（測定器）、  １４．駆動機構、  １４ａ．アクチュエータ、  １４ｂ．駆動ロッド、  １５．支持プレート、  ２０．表示部、  ２１．リセットボタン、  ３０．商品保持部、  ３１．飲料物保持部、  ３２．タバコ保持部、  ４０．回収部、  ４１．玉回収口、  ５０．制御部、  ５４．プリンタボタン、  ５７．プリンタ、  ５８．表示ランプ、  ５９．多目的スペース、  ６１．ホッパ、  ６５．テンキー、  ６６．切換えボタン、  ７０．販売装置、  ７１．計量枡、  ７７．返却枡、  ７５．底板、  ８１．回収レバー、  ８０．回収部、  ８５．フレキシブルチューブ。
【図１】
2008029774.tif 000003
【図２】
2008029774.tif 000004
【図３】
2008029774.tif 000005
【図４】
2008029774.tif 000006
【図５】
2008029774.tif 000007
【図６】
2008029774.tif 000008